(57)【要約】【課題】  従来、画像形成装置の消費電力量を該装置に搭載された電力計を用いて求める際に、電力計が動作していない電源状態についての考慮がされていなかった。【解決手段】  よって、本発明の分析システムは、電力ログが収集された画像形成装置の消費電力を求めて、当該消費電力の表示を制御する構成を有し、前記分析に際して、画像形成装置が所定の状態であったために該状態における消費電力がログに記録されていなかった場合に、前記所定の状態であった時間と前記所定の状態における画像形成装置の単位時間あたりの消費電力とを用いて、前記所定の状態における消費電力を求めることを特徴とする。【選択図】  図１２
2013127775.tif 000002
【特許請求の範囲】
【請求項１】
複数の画像形成装置と、画像形成装置を管理する分析システムを含むネットワークシステムであって、
前記複数の画像形成装置には、電力計を用いて装置の状態ごとの消費電力の情報が含まれる第１電力ログを管理する装置と、電力計を用いて装置の利用が開始されてからの積算の消費電力の情報が含まれる第２電力ログを管理する装置とが含まれ、
前記分析システムは、
前記第１及び第２電力ログを収集する収集手段と、
前記第１電力ログを用いて、当該第１電力ログが収集された画像形成装置の消費電力を求める第１分析手段と、
前記第２電力ログを用いて、当該第２電力ログが収集された画像形成装置の消費電力を求める第２分析手段と、
前記第１及び第２分析手段により求めた消費電力の表示を制御する表示制御手段と、を有し、
前記第１分析手段が、前記第１電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求め、
前記第２分析手段が、前記第２電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求めることを特徴とするネットワークシステム。
【請求項２】
前記第１及び第２分析手段は、前記第１及び第２電力ログを管理する画像形成装置に装着されるオプション装置の電力源が本体とは別電源である場合に、当該オプション装置での消費電力を加算することで、当該画像形成装置の消費電力を求めることを特徴とする請求項１に記載のネットワークシステム。
【請求項３】
前記複数の画像形成装置には、電力計をもたない装置も含まれ、
前記分析システムは、さらに、電力計をもたない画像形成装置から収集した該装置の状態について記録された状態ログから求めた各状態であった時間と、各状態における画像形成装置の単位時間あたりの消費電力とを用いて、当該画像形成装置の消費電力を求める第３分析手段を有し、
前記表示制御手段は、前記第１及び第２分析手段により求めた消費電力と、前記第３分析手段により求めた消費電力とを、異なる表示形式による表示となるよう制御することを特徴とする請求項１または２に記載のネットワークシステム。
【請求項４】
電力計を用いて装置の状態ごとの消費電力の情報が含まれる第１電力ログを管理する画像形成装置を管理する分析システムであって、
前記第１電力ログを収集する収集手段と、
前記第１電力ログを用いて、当該第１電力ログが収集された画像形成装置の消費電力を求める第１分析手段と、
前記第１分析手段により求めた消費電力の表示を制御する表示制御手段と、を有し、
前記第１分析手段が、前記第１電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求めることを特徴とする分析システム。
【請求項５】
前記第１分析手段は、前記第１電力ログを管理する画像形成装置に装着されるオプション装置の電力源が本体とは別電源である場合に、当該オプション装置での消費電力を加算することで、当該画像形成装置の消費電力を求めることを特徴とする請求項４に記載の分析システム。
【請求項６】
前記分析システムは、電力計を用いて装置の利用が開始されてからの積算の消費電力の情報が含まれる第２電力ログを管理する画像形成装置をさらに管理し、
前記収集手段により収集された前記第２電力ログを用いて、当該第２電力ログが収集された画像形成装置の消費電力を求める第２分析手段をさらに有し、
前記第２分析手段が、前記第２電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求めることを特徴とする請求項４または５に記載の分析システム。
【請求項７】
前記表示制御手段は、前記第１及び第２分析手段により求めた消費電力の表示を制御することを特徴とする請求項６に記載の分析システム。
【請求項８】
前記表示制御手段は、さらに画像形成装置の状態ごとの消費電力の表示を制御し、
状態ごとの消費電力の表示においては、前記第２電力ログを管理する画像形成装置を表示の対象としないことを特徴とする請求項６または７に記載の分析システム。
【請求項９】
前記分析システムは、電力計をもたない画像形成装置をさらに管理し、
電力計をもたない画像形成装置から収集した該装置の状態について記録された状態ログから求めた各状態であった時間と、各状態における画像形成装置の単位時間あたりの消費電力とを用いて、当該画像形成装置の消費電力を求める第３分析手段をさらに有し、
前記表示制御手段は、前記第１分析手段により求めた消費電力と、前記第３分析手段により求めた消費電力とを、異なる表示形式による表示となるよう制御することを特徴とする請求項４乃至８のいずれか１項に記載の分析システム。
【請求項１０】
前記所定の状態は、省電力モードであることを特徴とする請求項４乃至９のいずれか１項に記載の分析システム。
【請求項１１】
電力計を用いて装置の利用が開始されてからの積算の消費電力の情報が含まれる第２電力ログを管理する画像形成装置を管理する分析システムであって、
前記第２電力ログを収集する収集手段と、
前記第２電力ログを用いて、当該第２電力ログが収集された画像形成装置の消費電力を求める第２分析手段と、
前記第２分析手段により求めた消費電力の表示を制御する表示制御手段と、を有し、
前記第２分析手段が、前記第２電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求めることを特徴とする分析システム。
【請求項１２】
前記第２分析手段は、前記第２電力ログを管理する画像形成装置に装着されるオプション装置の電力源が本体とは別電源である場合に、当該オプション装置での消費電力を加算することで、当該画像形成装置の消費電力を求めることを特徴とする請求項１１に記載の分析システム。
【請求項１３】
電力計を用いて装置の状態ごとの消費電力の情報が含まれる第１電力ログを管理する画像形成装置を管理する分析システムにおける制御方法であって、
前記第１電力ログを収集する収集工程と、
前記第１電力ログを用いて、当該第１電力ログが収集された画像形成装置の消費電力を求める第１分析工程と、
前記第１分析工程で求めた消費電力の表示を制御する表示制御工程と、を有し、
前記第１分析工程において、前記第１電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力が求められることを特徴とする制御方法。
【請求項１４】
電力計を用いて装置の利用が開始されてからの積算の消費電力の情報が含まれる第２電力ログを管理する画像形成装置を管理する分析システムにおける制御方法であって、
前記第２電力ログを収集する収集工程と、
前記第２電力ログを用いて、当該第２電力ログが収集された画像形成装置の消費電力を求める第２分析工程と、
前記第２分析工程で求めた消費電力の表示を制御する表示制御工程と、を有し、
前記第２分析工程において、前記第２電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力が求められることを特徴とする制御方法。
【請求項１５】
請求項４乃至１０のいずれか１項に記載の手段としてコンピュータを機能させるためのプログラム。
【請求項１６】
請求項１１または１２のいずれか１項に記載の手段としてコンピュータを機能させるためのプログラム。
【発明の詳細な説明】
【技術分野】
【０００１】
本発明は、画像形成装置から得られる情報を用いて消費電力量を求める技術に関する。
【背景技術】
【０００２】
近年、二酸化炭素等の温室効果ガスの排出量を低減するために、プリンタや複合機等の画像形成装置の使用時における消費電力量を低減することが求められている。このため、画像形成装置の使用時における消費電力量をユーザーが認識可能にすること（いわゆる「見える化」）が重要である。
例えば、特許文献１には、画像形成装置に電力計を搭載し、各動作状態における積算電力および累積時間を計測し、レポートとして印刷する技術が開示されている。これによれば、画像形成装置に電力計を搭載することによって消費電力量を把握することが可能になる。
【先行技術文献】
【特許文献】
【０００３】
【特許文献１】特開２００３−３３５０２６号公報
【発明の概要】
【発明が解決しようとする課題】
【０００４】
上記特許文献１に記載の装置では、電力計からの情報をもとに消費電力が把握できる。しかしながら、画像形成装置が電源オフや省電力モードになった場合は、電力計が動作しないこともあり、消費電力を計測できない。画像形成装置によっては、省電力モードになった場合においても、消費電力を節約するために電力計を動作させないように制御する場合がある。また、オプション装置の電源供給の方法によっては、電力計により計測された消費電力を補正する必要がある場合もある。
よって、本発明は、画像形成装置に搭載された電力計が動作していない電源状態や、オプション装置の電源供給の方法などを考慮して、適切に消費電力量を求めることが可能な手法を提供するものである。
【課題を解決するための手段】
【０００５】
上記課題を解決するために、本発明におけるネットワークシステムは、複数の画像形成装置と、画像形成装置を管理する分析システムを含むものであって、前記複数の画像形成装置には、電力計を用いて装置の状態ごとの消費電力の情報が含まれる第１電力ログを管理する装置と、電力計を用いて装置の利用が開始されてからの積算の消費電力の情報が含まれる第２電力ログを管理する装置とが含まれ、
前記分析システムは、
前記第１及び第２電力ログを収集する収集手段と、前記第１電力ログを用いて、当該第１電力ログが収集された画像形成装置の消費電力を求める第１分析手段と、前記第２電力ログを用いて、当該第２電力ログが収集された画像形成装置の消費電力を求める第２分析手段と、前記第１及び第２分析手段により求めた消費電力の表示を制御する表示制御手段と、を有し、前記第１分析手段が、前記第１電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求め、前記第２分析手段が、前記第２電力ログを管理する画像形成装置が所定の状態であったために該状態における消費電力が記録されていなかった場合に、前記所定の状態であった時間と前記所定の状態における画像形成装置の単位時間あたりの消費電力とを用いて、前記所定の状態における消費電力を求めることを特徴とする。
【発明の効果】
【０００６】
本発明により、画像形成装置に搭載された電力計が動作していない電源状態の場合なども考慮し、適切な消費電力量を求めることが可能となる。
【図面の簡単な説明】
【０００７】
【図１】本発明の実施形態を示すネットワークシステムの構成を示す模式図である。
【図２】クライアントコンピュータ１０１、分析サーバー１０２を構成する情報処理装置の内部構成の一例を示すブロック図である。
【図３】複合機１０４の内部構成の一例を示すブロック図である。
【図４】クライアントコンピュータ１０１の機能的構成の一例を示すブロック図である。
【図５】分析サーバー１０２の機能的構成の一例を示すブロック図である。
【図６】複合機１０４のデータ処理構成の一例を示すブロック図である。
【図７】デバイス情報管理部５０２が備えるテーブルの一例を示す図である。
【図８】ログ収集部５０３が備えるテーブルの一例を示す図である。
【図９】積算電力取得部５０４が備えるテーブルの一例を示す図である。
【図１０】状態監視部５０５が備えるテーブルの一例を示す図である。
【図１１】消費電力分析処理の処理手順の一例を示すフローチャートである。
【図１２】電力ログによる消費電力計算処理の処理手順の一例を示すフローチャートである。
【図１３】積算電力ログによる消費電力計算処理の処理手順の一例を示すフローチャートである。
【図１４】分析処理部５０６が備えるテーブルの一例を示す図である。
【図１５】消費電力分析結果表示の一例を示す図である。
【発明を実施するための形態】
【０００８】
以下、本発明を実施するための最良の形態について図面を用いて説明する。
【０００９】
＜実施例１＞
＜システム構成の説明＞
図１は、本発明の実施形態を示すネットワークシステムの構成を示す模式図である。
【００１０】
図１において、１０１はクライアントコンピュータで、ユーザーが使用して画像データを生成し、印刷を行う。クライアントコンピュータ１０１には、後述するハードウェア資源と、オペレーティングシステム（ＯＳ）、プリンタドライバ等を含むソフトウエア資源を備える。さらに、クライアントコンピュータ１０１はネットワーク１０５に接続される画像形成装置と所定のプロトコルで通信可能に接続されている。
【００１１】
１０３はプリンタで、ネットワークを介して受信した印刷データを受け取り、電子写真技術やインクジェット技術などの既知の印刷技術を利用して実際の用紙に印刷を行う。１０４は複合機（ＭＦＰ：Ｍｕｌｔｉ  Ｆｕｎｃｔｉｏｎ  Ｐｅｒｉｐｈｅｒａｌ）で、ネットワークを介して受信した印刷データを受け取り、電子写真技術やインクジェット技術などの既知の印刷技術を利用して実際の用紙に印刷を行う。また、複合機１０４は、スキャナを介して紙原稿を読み取り、コピーを行ったり、画像データに変換しＥｍａｉｌなどで送信したりする機能も持つ。もちろん、コピー機能を持たない、プリンタも適用可能である。本発明においては、プリンタ１０３や複合機１０４を総称して画像形成装置と呼ぶ。
【００１２】
１０２は分析サーバーで、プリンタ１０３や複合機１０４の消費電力の分析を行う。
【００１３】
なお、クライアントコンピュータ１０１、分析サーバー１０２、プリンタ１０３、複合機１０４はイーサネット（登録商標）などの既知の技術によるネットワーク１０５により相互に通信可能に接続されている。
【００１４】
本発明において、分析サーバー１０２は１以上の装置（分析サーバとデータベースサーバなど）から構成される分析システムとして実現することも可能である。また、分析サーバー１０２をプリンタ１０３、複合機１０４とは別構成として設けているが、同様の機能をもつモジュールをプリンタ１０３、複合機１０４の内部に設けるように構成しても構わない。この場合、分析サーバー１０２とプリンタ１０３、複合機１０４の間で行われるネットワーク通信は、システムバスなどを介したデータの受け渡しに置き換えて考えられる。
【００１５】
＜コンピュータの内部構成＞
図２は、クライアントコンピュータ１０１、分析サーバー１０２を構成する情報処理装置の内部構成の一例を示すブロック図である。
【００１６】
図２において、２００はコンピュータ全体である。
【００１７】
ＰＣ２００は、ＲＯＭ２０２あるいは、例えば大容量記憶装置としてのＨＤ２１１に記憶されたソフトウエアを実行するＣＰＵ２０１を備え、ＣＰＵ２０１はシステムバス２０５に接続される各ハードウェアを総括的に制御する。２０３はＲＡＭで、ＣＰＵ２０１の主メモリ、ワークエリア等として機能する。２０４はネットワークインターフェースカード（ＮＩＣ）で、ネットワーク１０５を介して、他のノードと双方向にデータをやりとりする。
【００１８】
２０６はキーボードコントローラ（ＫＢＤＣ）で、ＰＣに備えられたキーボード（ＫＢＤ）２０９からの指示入力を制御する。２０７はディスプレイコントローラ（ＤＩＳＰＣ）で、例えば液晶ディスプレイなどで構成される表示モジュール（ＤＩＳＰＬＡＹ）２１０の表示を制御する。２０８はディスクコントローラ（ＤＫＣ）であり、大容量記憶装置であるハードディスク（ＨＤ）２１１を制御する。
【００１９】
＜複合機の内部構成＞
図３は、図１に示した複合機１０４の内部構成の一例を示すブロック図である。
【００２０】
図３において、３００は複合機全体である。複合機３００は、ＲＯＭ３０２あるいは例えばハードディスクなどの大規模記憶装置としてのＨＤ３１４に記憶されたソフトウエアを実行するＣＰＵ３０１を備え、ＣＰＵ３０１はシステムバス３０５に接続される各ハードウェアを総括的に制御する。３０３はＲＡＭで、ＣＰＵ３０１の主メモリ、ワークエリア等として機能する。３０４はネットワークインターフェースカード（ＮＩＣ）で、ネットワーク１０５を介して、他のノードとデータをやりとりする。
【００２１】
３０６はパネルコントローラ（ＰＡＮＥＬＣ）で、複合機に備えられたオペレーションパネル（ＰＡＮＥＬ）３１２からの指示入力を制御する。３０７はディスプレイコントローラ（ＤＩＳＰＣ）で、例えば液晶ディスプレイなどで構成される表示モジュール（ＤＩＳＰＬＡＹ）３１３の表示を制御する。３０８はディスクコントローラ（ＤＫＣ）であり、大容量記憶装置であるハードディスク（ＨＤ）３１４を制御する。３０９はスキャナコントローラ（ＳＣＡＮＣ）で、複合機に備えられた光学式スキャナ装置（スキャナ）３１５を制御し、紙原稿の読み取りを行う。３１０はプリンタコントローラ（ＰＲＮＣ）で、複合機に備えられたプリンタ装置（プリンタ）３１６を制御し、電子写真技術やインクジェット技術などの既知の印刷技術を利用して実際の用紙に印刷を行う。
【００２２】
３１１は電力計コントローラ（ＰＭＣ）であり、複合機に備えられた電力の計測を行う電力計３１７からの信号を受信して制御する。
【００２３】
なお、図１に示したプリンタ１０３の内部構成は、上記で示した複合機１０４の内部構成よりスキャナコントローラ３０９及び光学式スキャナ装置３１５を除いたものと考えることができる。さらに、パネルコントローラ（ＰＡＮＥＬＣ）３０６、オペレーションパネル３１２、ディスプレイコントローラ（ＤＩＳＰＣ）３０７、表示モジュール（ＤＩＳＰＬＡＹ）３１３、電力計コントローラ（ＰＭＣ）３１１、電力計３１７などを取り除いた構成でもよい。
【００２４】
＜クライアントコンピュータの機能的構成＞
図４は、図１に示したクライアントコンピュータ１０１の機能的構成の一例を示すブロック図である。
【００２５】
図４において、４００はクライアントコンピュータ全体である。４０１は印刷指示を行う印刷アプリケーションであり、プリンタドライバ４０２に対して描画命令などを送信することにより、印刷指示を行う。４０２はプリンタドライバで、印刷アプリケーション４０１から受けた描画命令などを複合機が解釈可能な印刷データ、すなわちＰＤＬ（Ｐａｇｅ  Ｄｅｓｃｒｉｐｔｉｏｎ  Ｌａｎｇｕａｇｅ）に変換する。さらに、プリンタドライバ４０２は、印刷ジョブを作成し、印刷ジョブ送信部４０３に送信する。４０３は印刷ジョブ送信部で、プリンタドライバ４０２より受け取った印刷ジョブを複合機１０４に送信する。
【００２６】
４０４はＷｅｂブラウザで、ＨＴＭＬデータを解釈し、表示モジュール２１０へ画面描画を行い、キーボード等からのユーザー操作を受け付け、ＨＴＴＰ通信部４０５へ要求を送信する。４０５はＨＴＴＰ通信部で、Ｗｅｂブラウザからの通信要求を受けて画像処理装置等とＮＩＣ２０４を経由してＨＴＴＰ又はＨＴＴＰＳプロトコルを用いて通信を行いＷｅｂページの要求、Ｗｅｂページデータの受信等を行う。
【００２７】
＜分析サーバーの機能的構成＞
図５は、図１に示した分析サーバー１０２の機能的構成の一例を示すブロック図である。
【００２８】
図５において、５００は分析サーバー全体である。５０１はインターフェース部であり、図２に示したＮＩＣ２０４を通じてネットワーク１０５を経由して、クライアントコンピュータ１０１、プリンタ１０３、複合機１０４との通信を行う。
【００２９】
５０２はデバイス情報管理部であり、画像形成装置に関する情報を保持する。デバイス情報管理部５０２は、インターフェース部５０１を経由して、プリンタ１０３、複合機１０４より能力情報や構成情報などの情報を取得して保管することもできる。
【００３０】
５０３はログ収集部であり、プリンタ１０３、複合機１０４のログ管理部６１３により管理されている電力ログを、インターフェース部５０１を経由して定期的に収集して保管する。また、プリンタ１０３、複合機１０４が電力ログを送信し、ログ収集部５０３が電力ログを受信した際に電力ログを保管するようにしても良い。
【００３１】
５０４は積算電力取得部であり、プリンタ１０３、複合機１０４の電力管理部６１２により管理されている積算電力量を、インターフェース部５０１を経由して定期的に取得し、積算電力ログを作成して保管する。また、プリンタ１０３、複合機１０４が積算電力量を送信し、積算電力取得部５０４が積算電力量を受信した際に積算電力ログを作成して保管するようにしても良い。
【００３２】
５０５は状態監視部であり、インターフェース部５０１を経由してプリンタ１０３、複合機１０４より電源状態通知を受信し、状態遷移ログを作成して保管する。
【００３３】
５０６は分析処理部であり、電力ログ情報、積算電力ログ情報、状態遷移ログ情報、画像形成装置の消費電力情報、およびオプション装置の消費電力情報をもとにプリンタ１０３、複合機１０４などの画像形成装置の消費電力の分析処理をする。
【００３４】
＜複合機の機能的構成＞
図６は、図１に示した複合機１０４のデータ処理構成の一例を示すブロック図である。
【００３５】
図６において、６００は複合機全体を示す。６０１はインターフェース部であり、ネットワーク１０５と接続し、クライアントコンピュータ１０１から印刷ジョブを受信する。
【００３６】
６０２は印刷データ格納部であり、印刷ジョブデータを一時的に格納する。６０３はＵＩ制御部であり、パネルコントローラ（ＰＡＮＥＬＣ）３０６を経由してオペレーションパネル３１１を制御し、ユーザーからの複合機１０４へのコピー指示や、スキャン送信指示を受け付ける。６０４はジョブ管理部であり、クライアントコンピュータ１０１から受信する印刷ジョブを解析し、ユーザー名や印刷部数やカラー印刷などの出力属性情報を取得し、ジョブの開始日時と共にジョブ情報として管理する。６０５は印刷データ展開部であり、ジョブ管理部６０４に格納されたジョブ情報に従い、印刷データ格納部６０２から印刷データを取得して画像生成処理を行い、イメージデータをＲＡＭ３０３上に生成する。６０６はスキャナ制御部であり、スキャナコントローラ３０９を制御し、紙原稿のスキャンを行い、作成されたイメージデータを作成する。なお、スキャナ制御部６０６では、原稿給送装置として、ＡＤＦ、ＲＤＦ等を接続可能とする場合には、ＡＤＦ又はＲＤＦからの原稿給紙と原稿排紙を制御する。また、両面原稿を読み取る場合には、スキャナ制御部６０６は、原稿の反転制御を行う場合もある。６０７はイメージデータ格納部であり、印刷データ展開部６０５、スキャナ制御部６０６が生成したイメージデータを一時的に格納する。６０８はプリンタ制御部であり、プリンタエンジン６０９を制御し、イメージデータ格納部６０７に格納されたイメージデータの印刷を行わせる。６０９はプリンタエンジンであり、イメージデータ格納部６０７に格納されたイメージデータを、電子写真技術やインクジェット技術などの既知の印刷技術を用いて印刷用紙などのメディアに実際に印刷する。
【００３７】
６１１は電源制御部であり、複合機１０４の電源を制御し、待機モード、省電力モード、電源オフなどの電源状態を管理する。電源制御部６１１は、種々の条件に応じて、各電源状態に移行可能である。例えば、電源制御部６１１は、待機モードにおいて、複合機１０４に対して一定時間操作が行われず、印刷ジョブの受信、ＦＡＸ受信、ネットワークからの命令受信等が行われなかった場合に電源オフや省電力モードへ移行する。また、電源制御部６１１は、分析サーバー１０２からの電源オフや省電力モード移行などの電源状態変更要求に応じて電源状態を変更する。さらに、電源制御部６１１は、予め設定された時刻に電源オフや省電力モードへ移行する。電源制御部６１１は、電源状態を変更するときに電源状態通知部６１０、電力管理部６１２に通知する。
【００３８】
６１０は電源状態通知部であり、電源制御部６１１からの通知を受けて、インターフェース部６０１を介して電源状態を通知する。また、電源状態通知部６１０は、定期的に電源状態を通知するようにしても良い。具体的には、電源状態通知には、待機中、省電力移行、省電力解除、電源オン、電源オフの種別が含まれる。待機中の通知は、複合機が待機モードで動作中であることを示す。省電力移行の通知は、複合機が待機モードから省電力モードへ移行するときに通知される。省電力解除の通知は、複合機が省電力モードから待機モードへ移行するときに通知される。電源オンの通知は、複合機が電源オフ状態から電源が投入され、待機モードに移行するときに行われる。電源オフの通知は、複合機が電源オフに移行するときに行われる。なお、インターフェース部６０１を介した通知の方法としては、独自の通信規約でも、公に定義された通信規約を使用しても構わない。また、予め指定された分析サーバー１０２でも、マルチキャストやブロードキャストで複数の相手に通知してもよい。
【００３９】
６１２は電力管理部で、電力計３１７から電力情報を取得し管理する。電力管理部６１２は、電源制御部６１１からの通知を受けて、電力計３１７から電力情報を取得し、ログ管理部６１３に通知する。また、電源制御部６１１からの通知が無いまま一定時間経過したときにも、電力情報を取得し、ログ管理部６１３に通知する。さらに、電源制御部６１１からの通知を受けたときに、電源状態変更前の状態が電源オフや省電力モードなどで、電力計が動作しておらず電力情報を取得できなかった場合も、ログ管理部６１３に通知する。また、電力管理部６１２は、分析サーバー１０２からの要求に応答して、要求時点の積算電力情報を送信する。
【００４０】
６１３はログ管理部で、電力管理部６１２からの通知を受け、電力ログを作成し保管する。ログ管理部６１３は、分析サーバー１０２からの要求に応答して電力ログを送信する。電力ログの詳細については後述する。
【００４１】
なお、電力計を搭載しない（電力管理部６１２とログ管理部６１３を除いた）構成の画像形成装置が存在しても良い。この場合、電源制御部６１１は、電源状態を変更するときに電源状態通知部６１０のみに通知する。
【００４２】
さらに、電力計は搭載するが電力ログ管理機能を持たない（ログ管理部６１３を除いた）構成の画像形成装置が存在しても良い。この場合、電力管理部６１２は、電源制御部６１１からの通知を受けて、管理する電力情報をログ管理部６１３に通知する処理は行わない。
【００４３】
なお、スキャナを持たないプリンタ１０３の構成は、図６で説明した複合機１０４の構成から、スキャナ制御部６０６、ＵＩ制御部６０３などを除いた構成と考えることができる。
【００４４】
＜デバイス情報テーブル＞
図７（Ａ）は、図５に示したデバイス情報管理部５０２が備えるデバイス情報テーブルの一例を示す図である。
【００４５】
図７（Ａ）において、７０１の列はデバイスＩＤであり、画像形成装置をシステム内で一意に識別するＩＤを示す。７０２の列は該当行の画像形成装置のデバイス名を示す。７０３の列は該当行の画像形成装置の機種を示す。
【００４６】
７０４の列は該当行の画像形成装置から電力ログの収集が可能か否かを示す。該当行の画像形成装置が電力計を搭載し、電力管理部６１２とログ管理部６１３の両方を持つ構成の場合、電力ログの収集が可能である。
【００４７】
７０５の列は該当行の画像形成装置から積算電力情報が取得可能か否かを示す。該当行の画像形成装置が電力計を搭載し、電力管理部６１２を持つ構成の場合、積算電力情報の取得が可能である。
【００４８】
７０６の列は該当行の画像形成装置のオプション装置情報であり、画像形成装置に追加で備えられているオプション装置情報を示す。オプション装置とは、たとえばステイプルやパンチなどの機能をもつフィニッシャー装置などを指す。
【００４９】
７０７の列は該当行の画像形成装置に備えられているオプション装置の電力源情報を示す。オプション装置の電力源としては、画像形成装置本体から電力を供給されて動作する電力源が本体のオプション装置や、画像形成装置本体とは別の電源から電力を供給されて動作する電力源が別電源のオプション装置がある。
【００５０】
デバイス情報テーブルの各設定値は、画像形成装置の機種によって初期値を決めるようにすることもできる。画像形成装置の機種情報は、デバイス情報管理部５０２により、例えばＳＮＭＰなどのプロトコルを使用しネットワークを経由して画像形成装置から取得することもできる。また、分析サーバー１０２の入力装置より設定値を指定・変更するようにすることもできる。
【００５１】
＜本体電力情報テーブル＞
図７（Ｂ）は、図５に示したデバイス情報管理部５０２が備える本体電力情報テーブルの一例を示す図である。デバイス情報管理部５０２が管理するこの情報により、画像形成装置の状態ごとの消費電力がわかる。
【００５２】
図７（Ｂ）において、７０８の列はデバイスＩＤである。７０９の列は該当行の画像形成装置の待機モード時の消費電力を示す。７１０の列は該当行の画像形成装置のジョブ処理時の消費電力を示す。７１１の列は該当行の画像形成装置の省電力モード時の消費電力を示す。７１２の列は該当行の画像形成装置の電源オフ時の消費電力を示す。
【００５３】
本体電力情報テーブルの各設定値は、画像形成装置の機種によって初期値を決めるようにすることもできる。また、分析サーバー１０２の入力装置より設定値を指定・変更するようにすることもできる。
【００５４】
＜オプション電力情報テーブル＞
図７（Ｃ）は、図５に示したデバイス情報管理部５０２が備えるオプション電力情報テーブルの一例を示す図である。デバイス情報管理部５０２が管理するこの情報により、画像形成装置のオプション装置によって消費される電力がわかる。
【００５５】
図７（Ｃ）において、７１３の列はデバイスＩＤである。７１４の列は該当行の画像形成装置のオプション装置の待機モード時の消費電力を示す。７１５の列は該当行の画像形成装置のオプション装置のジョブ処理時の消費電力を示す。７１６の列は該当行の画像形成装置のオプション装置の省電力モード時の消費電力を示す。７１７の列は該当行の画像形成装置のオプション装置の電源オフ時の消費電力を示す。
【００５６】
オプション電力情報テーブルの各設定値は、オプション装置の種類によって初期値を決めるようにすることもできる。また、分析サーバー１０２の入力装置より設定値を指定・変更するようにすることもできる。
【００５７】
＜電力ログテーブル＞
図８は、図５に示したログ収集部５０３が備える電力ログテーブルの一例を示す図である。電力ログテーブルは、電力計を搭載し、電力管理部６１２とログ管理部６１３を持つ画像形成装置より収集した電力ログを保管するテーブルである。ログ収集部５０３が管理するこの情報により、画像形成装置がいつどのような電源状態に遷移し、どの程度の電力を消費していたかがわかる。
【００５８】
図８において、８０１の列は電力ログを収集した画像形成装置のデバイスＩＤである。８０２の列は該当行の画像形成装置の電源状態が遷移した日時を示す。８０３の列は該当行の画像形成装置が該当行の日時に遷移する前の電源状態を示す。８０４の列は該当行の画像形成装置が該当行の日時に遷移した後の電源状態を示す。８０５の列は該当行の画像形成装置の前回の電源状態遷移時以降の消費電力量を示す。
【００５９】
なお、図６に示したログ管理部６１３では、図８の電力ログテーブルからデバイスＩＤ８０１を除いた形式と同等の情報量の電力ログを備える。ログ管理部６１３は、電力管理部６１２からの通知を受け、電力ログを作成し保管する。電源状態変更前の状態が電源オフや省電力モードで、電力計が動作していなかったため、電力管理部６１２からの通知に電力情報が含まれていなかった場合は、消費電力８０５を除いた電力ログを作成し保管する。
【００６０】
＜積算電力ログテーブル＞
図９は、図５に示した積算電力取得部５０４が備える積算電力ログテーブルの一例を示す図である。積算電力ログテーブルは、電力管理部６１２を持つ画像形成装置より取得した積算電力ログを保管するテーブルである。この情報により、画像形成装置がいつどの程度の電力を消費していたかがわかる。
【００６１】
図９において、９０１の列は積算電力ログを取得した画像形成装置のデバイスＩＤである。９０２の列は該当行の画像形成装置から積算電力を取得した日時を示す。９０３の列は該当行の画像形成装置から該当行の日時に取得した積算電力を示す。
【００６２】
＜状態遷移ログテーブル＞
図１０は、図５に示した状態監視部５０５が備える状態遷移ログテーブルの一例を示す図である。状態遷移ログテーブルは、電源状態通知に基づき作成する状態遷移についてのログを記録するテーブルである。この情報により、画像形成装置がいつどのような電源状態に遷移したかがわかる。
【００６３】
図１０において、１００１の列は状態が遷移した画像形成装置のデバイスＩＤである。１００２の列は該当行の画像形成装置の状態が遷移した日時を示す。１００３の列は該当行の画像形成装置が該当行の日時に遷移した電源状態を示す。
【００６４】
＜消費電力分析処理＞
図１１は、情報処理装置における第１のデータ処理手順の一例を示すフローチャートである。なお、本例は、図１に示した分析サーバー１０２が情報処理装置として処理を行う例である。また、分析サーバー１０２では、本消費電力分析処理を一定間隔で実行する。なお、Ｓ１１０１〜Ｓ１１０３は各ステップを示し、各ステップは、ＣＰＵ２０１がＨＤ２１２、ＲＯＭ２０２等より制御プログラムをＲＡＭ２０３にロードして実行することで実現される。
【００６５】
消費電力の分析処理を開始すると、Ｓ１１０１で、分析処理部５０６は、電力ログによる消費電力を求める処理を行う。具体例としての電力ログによる消費電力の計算処理の詳細については、図１２を用いて後述する。Ｓ１１０２で、分析処理部５０６は、積算電力ログによる消費電力を求める処理を行う。具体例としての積算電力ログによる消費電力の計算処理の詳細については、図１３を用いて後述する。
【００６６】
Ｓ１１０３で、分析処理部５０６は、電力計を搭載していない画像形成装置の消費電力を求めて、分析結果テーブルに保管し、本処理を終了する。ここで、電力計を搭載していない画像形成装置の消費電力の求め方は、例えば、図１０で図示したログの時間情報に従う各状態の時間と、図７で図示した各状態における消費電力を乗じることにより消費電力量を算出して求める方法などが挙げられる。電力計を搭載していない画像形成装置の消費電力の求め方については方法を限定しない。
【００６７】
＜電力ログによる消費電力計算処理＞
図１２は、情報処理装置における第２のデータ処理手順の一例を示すフローチャートである。本例は、図１１に示したＳ１１０１で実行される処理の詳細である。
【００６８】
電力ログによる消費電力の計算処理では、電力計を搭載し、電力管理部６１２とログ管理部６１３の両方を持つ構成の画像形成装置の消費電力を、ログ収集部５０３に保管されている電力ログを使用して計算する。また、電力計が動作していない状態（スリープ、電源ＯＦＦなど）がある場合は、その状態の消費電力を計算し補正する。さらに、オプション装置が画像形成装置とは別電源で、画像形成装置本体の電力計の計測値にオプション装置の消費電力が含まれていない場合は、オプション装置の消費電力量を計算し補正する。
【００６９】
まず、Ｓ１２０１で、分析処理部５０６は、ログ収集部５０３に保管されている電力ログから、本分析が行われていない未処理の電力ログを取得する。続いて、Ｓ１２０２で、分析処理部５０６は、Ｓ１２０１で取得した電力ログを、第一ソートキーをデバイスＩＤ８０１、第二ソートキーを日時８０２としてソートする。
【００７０】
そして、分析処理部５０６は、Ｓ１２０３〜Ｓ１２１３までの処理を、前述した未処理の電力ログについて繰り返し実行する。
【００７１】
Ｓ１２０４で、分析処理部５０６は、処理中の電力ログの消費電力８０５に値が格納されているか、つまり電力計が動作していた状態かを判定する。ここで、分析処理部５０６が、処理中の電力ログの消費電力８０５に値が格納されており、電力計が動作していた状態であったと判定した場合には、Ｓ１２０５に進む。Ｓ１２０５で、分析処理部５０６は電力ログの消費電力８０５を消費電力として格納する。
【００７２】
一方、Ｓ１２０４で、分析処理部５０６が、処理中の電力ログの消費電力８０５に値が格納されていない、つまり電力計が動作していない状態であったと判定した場合はＳ１２０６に進む。Ｓ１２０６で、分析処理部５０６は、処理中の電力ログの前の遷移から、処理中の電力ログの遷移までの消費電力を算出する。例えば、処理中の電力ログの遷移前状態が省電力モードの場合、画像形成装置の省電力モード消費電力７１１と、１つ前の電力ログの日時から処理中の電力ログの日時までの時間とを乗算することで消費電力を算出する。この処理により算出した消費電力が、電力計が動作していない状態の消費電力となる。続いて、Ｓ１２０７で、分析処理部５０６は、Ｓ１２０６で算出した消費電力を消費電力として格納する。
【００７３】
Ｓ１２０８で、分析処理部５０６は、デバイス情報管理部５０２に保管されているデバイス情報から、処理中の電力ログのデバイスＩＤ８０１に該当する画像形成装置のデバイス情報を取得する。Ｓ１２０９で、分析処理部５０６は、Ｓ１２０８で取得したデバイス情報のオプション装置電力源７０７が別電源か否かを判定する。ここで、オプション装置の電力源が本体である場合には、電力計の計測値にオプション装置の消費電力が含まれていることになる。分析処理部５０６が、デバイス情報のオプション装置電力源７０７が別電源であると判定した場合はＳ１２１０に進み、そうでない場合にＳ１２１２に進む。
【００７４】
Ｓ１２１０で、分析処理部５０６は、処理中の電力ログの前の遷移から、処理中の電力ログの遷移までのオプション装置の消費電力を算出する。例えば、処理中の電力ログの遷移前状態が待機モードの場合、オプション装置の待機モード消費電力７１４と、１つ前の電力ログの日時から処理中の電力ログの日時までの時間とを乗算することでオプション装置の消費電力を算出する。次に、Ｓ１２１１で、分析処理部５０６は、Ｓ１２１０で算出したオプション装置の消費電力を、Ｓ１２０５またはＳ１２０７で算出した消費電力に加算する。
【００７５】
Ｓ１２１２で、分析処理部５０６は、分析結果テーブルの、処理中の電力ログのデバイスＩＤ８０１に該当する画像形成装置の分析結果に、計算した消費電力を加算する。
【００７６】
Ｓ１２１３で、分析処理部５０６は、Ｓ１２０３〜Ｓ１２１２の処理を行っていない電力ログがあるかを判定する。ここで、分析処理部５０６が、Ｓ１２０３〜Ｓ１２１２の処理を行っていない電力ログがあると判定した場合はＳ１２０３に戻り処理を繰り返す。一方、分析処理部５０６が、Ｓ１２０３〜Ｓ１２１２の処理を行っていない電力ログがないと判定した場合は、図１１に記載の処理に戻る。
【００７７】
本処理により、電力計を搭載し、電力管理部６１２とログ管理部６１３の両方を持つ構成の画像形成装置の消費電力を計算できる。また、電力計が動作していない状態がある場合は、その状態の消費電力を求めて補正できる。さらに、オプション装置が画像形成装置とは別電源で、画像形成装置本体の電力計の計測値にオプション装置の消費電力が含まれていない場合は、オプション装置の消費電力量を求めて補正できる。
【００７８】
＜積算電力ログによる消費電力計算処理＞
図１３は、情報処理装置における第３のデータ処理手順の一例を示すフローチャートである。本例は、図１１に示したＳ１１０２で実行される処理の詳細である。
【００７９】
積算電力ログによる消費電力の計算処理では、電力計は搭載するが、ログ管理部６１３を持たない構成の画像形成装置の消費電力を、積算電力取得部５０４に保管されている積算電力ログを使用して計算する。また、電力計が動作していない状態がある場合は、その状態の消費電力を求めて補正する。さらに、オプション装置が画像形成装置とは別電源で、画像形成装置本体の電力計の計測値にオプション装置の消費電力が含まれていない場合は、オプション装置の消費電力も求めて補正する。
【００８０】
まず、Ｓ１３０１で、分析処理部５０６は、積算電力取得部５０４に保管されている積算電力ログから、本分析が行われていない未処理の電力ログを取得する。続いて、Ｓ１３０２で、分析処理部５０６は、Ｓ１３０１で取得した未処理の積算電力ログのデバイスＩＤ９０１を参照し、積算電力の取得元の画像形成装置のデバイスリストを作成する。
【００８１】
そして、分析処理部５０６は、Ｓ１３０３〜Ｓ１３１６までの処理を、Ｓ１３０２で作成したデバイスリストにおける未処理の画像形成装置について繰り返し実行する。
【００８２】
Ｓ１３０４で、分析処理部５０６は、デバイス情報管理部５０２に保管されているデバイス情報から、処理対象の画像形成装置のデバイス情報を取得する。
【００８３】
Ｓ１３０５で、分析処理部５０６は、処理対象の画像形成装置の電力ログ収集情報７０４を参照し、電力ログが収集不可能な画像形成装置か否かを判定する。ここでは、電力ログによる消費電力の計算処理（図１２）で消費電力を計算していない画像形成装置かを判定している。ここで、分析処理部５０６が、電力ログが収集不可能な画像形成装置であると判定した場合にはＳ１３０６に進む。一方、分析処理部５０６が、電力ログが収集可能な画像形成装置であると判定した場合にはＳ１３１６に進む。
【００８４】
Ｓ１３０６で、分析処理部５０６は、処理対象の装置について、処理済の積算電力ログのうち最新の積算電力ログを積算電力ログＡとして管理する。続いてＳ１３０７で、分析処理部５０６は、処理対象の装置について、未処理の積算電力ログのうち最新の積算電力ログを積算電力ログＢとして管理する。Ｓ１３０８で、分析処理部５０６は、積算電力ログＢの消費電力から積算電力ログＡの消費電力を減算した値を算出して、新たに求めた消費電力として格納する。
【００８５】
続いてＳ１３０９で、分析処理部５０６は、状態監視部５０５に保管されている状態遷移ログから、積算電力ログＡの日時から積算電力ログＢの日時までの、処理中の画像形成装置の状態遷移ログを取得する。Ｓ１３１０で、分析処理部５０６は、Ｓ１３０９で取得した状態遷移ログを使用して、電力計が動作していない状態の消費電力を算出する。例えば、Ｓ１３０９で取得した状態遷移ログから、電力計が動作していない状態（省電力モードなど）の時間を算出する。そして、画像形成装置の消費電力情報で保管する各状態の消費電力と、電力計が動作していない状態の時間とを乗算することで消費電力を算出する。
【００８６】
Ｓ１３１１で、分析処理部５０６は、Ｓ１３１０で算出した電力計が動作していない状態の消費電力を、Ｓ１３０８で算出した消費電力に加算する。
【００８７】
Ｓ１３１２で、分析処理部５０６は、Ｓ１３０４で取得したデバイス情報のオプション装置電力源７０７が別電源か否かを判定する。ここで、分析処理部５０６が、デバイス情報のオプション装置電力源７０７が別電源であると判定した場合はＳ１３１３に進む。一方、分析処理部５０６が、デバイス情報のオプション装置電力源７０７が別電源でないと判定した場合はＳ１３１５に進む。
【００８８】
Ｓ１３１３で、分析処理部５０６は、処理中の積算電力ログの積算電力ログＡの日時から積算電力ログＢの日時までの、オプション装置の消費電力を算出する。続いてＳ１３１４で、分析処理部５０６は、Ｓ１３１３で算出した消費電力を、Ｓ１３１１で算出した消費電力に加算する。
【００８９】
Ｓ１３１５で、分析処理部５０６は、分析結果テーブルの、処理対象の画像形成装置の分析結果に、ここまでで計算した消費電力を加算する。
【００９０】
Ｓ１３１６で、分析処理部５０６は、Ｓ１３０３〜Ｓ１３１５の処理を行っていない画像形成装置があるかを判定する。ここで、分析処理部５０６が、Ｓ１３０３〜Ｓ１３１５の処理を行っていない画像形成装置があると判定した場合はＳ１３０３に戻り処理を繰り返す。一方、分析処理部５０６が、Ｓ１３０３〜Ｓ１３１５の処理を行っていない画像形成装置がないと判定した場合は、図１１に記載の処理に戻る。
【００９１】
本処理により、電力計は搭載するが、ログ管理部６１３を持たない構成の画像形成装置の消費電力を計算できる。また、電力計が動作していない状態がある場合は、その状態の消費電力を求めて補正できる。さらに、オプション装置が画像形成装置とは別電源で、画像形成装置本体の電力計の計測値にオプション装置の消費電力が含まれていない場合は、オプション装置の消費電力を求めて補正できる。
【００９２】
＜分析結果テーブル＞
図１４は、図５に示した分析処理部５０６が備える分析結果テーブルの一例を示す図である。分析結果テーブルは、電力ログ情報、積算電力ログ情報、状態遷移ログ情報、画像形成装置の消費電力情報、およびオプション装置の消費電力情報より計算した画像形成装置の消費電力の分析結果を記録するテーブルである。
【００９３】
図１４において、１４０１の列は集計月であり、該当行がいつの月の分析結果であるかを示す。本実施例では月単位になっているが、計算を実施する周期などによって、時単位や日単位にすることもできる。１４０２の列は、デバイスＩＤであり、該当行がどの画像形成装置の計算結果であるかを示す。
【００９４】
１４０３の列は、合計消費電力であり、該当行の集計月に該当行の画像形成装置が、消費した電力の合計を示す。１４０４の列は、待機モード消費電力であり、該当行の集計月に該当行の画像形成装置が、待機モードで消費した電力を示す。１４０５の列は、ジョブ処理中消費電力であり、該当行の集計月に該当行の画像形成装置が、ジョブ処理で消費した電力を示す。１４０６の列は、省電力モード消費電力であり、該当行の集計月に該当行の画像形成装置が、省電力モードで消費した電力を示す。１４０７の列は、電源オフ消費電力であり、該当行の集計月に該当行の画像形成装置が、電源オフで消費した電力を示す。
【００９５】
分析結果テーブルの更新は、分析処理部５０６により、例えば１ヶ月ごと、１時間ごと、１日ごとなど定期的に行う。
【００９６】
＜消費電力分析結果表示＞
図１５は、本発明における消費電力の分析結果表示の一例を示す図である。分析結果の表示は、分析サーバー１０２の表示モジュール（ＤＩＳＰＬＡＹ）２１０に表示される。
【００９７】
図１５（Ａ）は、画像形成装置ごとの合計消費電力を表とグラフで表示した例である。これは、分析結果テーブルの合計消費電力１４０３を表とグラフにした例である。画像形成装置ごとの消費電力を表示する際には、電力計を搭載した画像形成装置（“ＭＦＰ００１〜００４”）と、電力計を搭載していない画像形成装置（“ＭＦＰ００５”）とで表示形式を変更する。図１５（Ａ）は、電力計を搭載した画像形成装置の方が求められる消費電力の精度が高いので、識別しやすいように表示形式を変えている。表示形式に関しては、例えば、電力計を搭載した画像形成装置と、電力計を搭載していない画像形成装置とで、表の文字やグラフの色を変える、グラフの枠線を変更するなど、方法を限定しない。これにより、画像形成装置の種類などにより異なる求められた消費電力の精度の差が視覚的に把握できる。
【００９８】
図１５（Ｂ）は、画像形成装置ごとの各状態の消費電力を表とグラフで表示した例である。これは、分析結果テーブルの各状態の消費電力１４０４〜１４０７を表とグラフにした例である。画像形成装置ごとの各状態の消費電力を表示する際には、電力ログ管理機能を持たない画像形成装置は表示対象としない。本例では、“ＭＦＰ００４”を表示していない。これは、電力計は搭載するが電力ログ管理機能を持たないので、積算電力ログのみを取得可能であって、装置における各状態の消費電力量が把握できないため、詳細な分析ができず、表示をしても意味がないためである。
【００９９】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１００】
さらに、本発明には、上述した実施形態の適宜組み合わせることにより構成されたシステムやその機能も含まれるものとする。
【図１】
2013127775.tif 000003
【図２】
2013127775.tif 000004
【図３】
2013127775.tif 000005
【図４】
2013127775.tif 000006
【図５】
2013127775.tif 000007
【図６】
2013127775.tif 000008
【図７】
2013127775.tif 000009
【図８】
2013127775.tif 000010
【図９】
2013127775.tif 000011
【図１０】
2013127775.tif 000012
【図１１】
2013127775.tif 000013
【図１２】
2013127775.tif 000014
【図１３】
2013127775.tif 000015
【図１４】
2013127775.tif 000016
【図１５】
2013127775.tif 000017